(57)【要約】【課題】応答速度の高速化が可能な半導体受光素子を提供すること。【解決手段】入射光に対して透明な半導体基板の主面近傍に光吸収部（１３）を備え、前記主面に対向する前記半導体基板の裏面に前記光吸収部（１３）より大径であって曲率半径Ｒ１の凸レンズ部（８）を備え、前記凸レンズ部（８）の光軸上に前記光吸収部（１３）の中心が位置する裏面入射型の半導体受光素子（１）において、前記凸レンズ部（８）の中央部に、前記凸レンズ部（８）と光軸が共通であって前記光吸収部（１３）より小径且つ前記曲率半径Ｒ１より大きい曲率半径Ｒ２の凹レンズ部（９）を有し、前記凹レンズ部（９）は、入射した光を前記光吸収部（１３）に向けて拡散させる。
2019150534.tif 000002
【特許請求の範囲】
【請求項１】
入射光に対して透明な半導体基板の主面近傍に光吸収部を備え、前記主面に対向する前記半導体基板の裏面に前記光吸収部より大径であって曲率半径Ｒ１の凸レンズ部を備え、前記凸レンズ部の光軸上に前記光吸収部の中心が位置する裏面入射型の半導体受光素子において、  前記凸レンズ部の中央部に、前記凸レンズ部と光軸が共通であって前記光吸収部より小径且つ前記曲率半径Ｒ１より大きい曲率半径Ｒ２の凹レンズ部を有し、  前記凹レンズ部は、入射した光を前記光吸収部に向けて拡散させることを特徴とする半導体受光素子。
【請求項２】
入射光の出射点から前記凹レンズ部までの距離Ｌと、入射光の発散角θと、前記光吸収部の直径Ｄと、前記凹レンズ部と前記光吸収部の距離Ｈに基づいて、前記凹レンズ部に入射した入射光の全部が前記凹レンズ部から拡散して前記光吸収部に入射するように前記凹レンズ部の曲率半径Ｒ２を設定したことを特徴とする請求項１に記載の半導体受光素子。
【請求項３】
空気に対する前記半導体基板の屈折率をｎとしたとき、前記凸レンズ部の前記曲率半径Ｒ１は、  （ｎ−１）／（１／Ｌ＋ｎ／Ｈ）＜Ｒ１＜（ｎ−１）／（ｎ／Ｈ）を満たすことを特徴とする請求項２に記載の半導体受光素子。
【請求項４】
前記半導体基板は、ＩｎＰ基板であることを特徴とする請求項１〜３の何れか１項に記載の半導体受光素子。
【発明の詳細な説明】
【技術分野】
【０００１】  本発明は、受光した入射光を電気信号に変換して出力する半導体受光素子に関し、特に応答速度を向上可能な半導体受光素子に関する。
【背景技術】
【０００２】  光通信分野では、通信量の急激な増加に対応するため、伝送速度を高速化する開発が行われている。光通信は、送信側から光ファイバケーブル等を介して光信号を送信し、受信側では半導体受光素子が受信した光信号を電気信号に変換している。【０００３】  受信側における伝送速度の高速化は、半導体受光素子の応答速度の高速化により実現されるが、そのためには素子容量と素子抵抗で規定される応答速度の上限を向上させる必要がある。素子容量は、半導体受光素子の受光部の面積、即ち光を電気（電荷）に変換する光吸収部の直径が小さい程小さくなり、例えば応答周波数帯域が２０ＧＨｚ程度の半導体受光素子を実現する場合、光吸収部の直径を２０μｍ程度とすれば素子容量が十分小さくなる。【０００４】  一方、半導体受光素子は光ファイバケーブル端部から出射されて所定の拡がり角（発散角）で拡がりながら進行する入射光を受光する。それ故、素子容量を小さくするために光吸収部の直径を小さくする程、受光量が減少して受信効率（感度）が低下する。そのため、例えば特許文献１、２のように、受光量の減少を抑えるため小径の光吸収部に入射光を集光可能な凸レンズを半導体基板に形成した裏面入射型の半導体受光素子が知られている。
【先行技術文献】
【特許文献】
【０００５】
【特許文献１】特許第２９８９９９６号公報
【特許文献２】特許第３０３１２３８号公報
【発明の概要】
【発明が解決しようとする課題】
【０００６】  しかし、凸レンズ部が光吸収部で焦点を結ぶように集光すると、焦点近傍に電荷が集中的に生成され、電荷の過剰な集中によりその電荷の移動が制限される空間電荷効果によって応答速度の高速化が阻害される。また、発散角が小さい入射光の場合、凸レンズ部が光吸収部で焦点を結ばなくても、その凸レンズ部の集光作用により光吸収部の一部に入射光が集中して生成された電荷が過剰に集中し、空間電荷効果によって応答速度の高速化が阻害される虞がある。【０００７】  発散角が大きい入射光であっても、通常その中心の光軸に垂直な面内の入射光径方向の光の強度分布がガウス分布と見なせるガウシアンビームであり、入射光の光軸に近い程強度が強い。そのため、凸レンズ部の集光作用によって入射光の強度が強い中央部分が入射する光吸収部の一部で電荷の生成が過剰に集中し、空間電荷効果によって応答速度の高速化が阻害される虞もある。【０００８】  本発明の目的は、応答速度の高速化が可能な半導体受光素子を提供することである。
【課題を解決するための手段】
【０００９】  請求項１の発明は、入射光に対して透明な半導体基板の主面近傍に光吸収部を備え、前記主面に対向する前記半導体基板の裏面に前記光吸収部より大径であって曲率半径Ｒ１の凸レンズ部を備え、前記凸レンズ部の光軸上に前記光吸収部の中心が位置する裏面入射型の半導体受光素子において、前記凸レンズ部の中央部に、前記凸レンズ部と光軸が共通であって前記光吸収部より小径且つ前記曲率半径Ｒ１より大きい曲率半径Ｒ２の凹レンズ部を有し、前記凹レンズ部は、入射した光を前記光吸収部に向けて拡散させることを特徴としている。【００１０】  上記構成によれば、半導体受光素子は凸レンズ部の光軸に沿うように裏面から入射した入射光のうち、凸レンズ部に入射した光を光吸収部に向けて集光可能であると共に、凸レンズ部中央部の凹レンズ部に入射した光を光吸収部に向けて拡散させる。従って、集光によって光吸収部における受光量を確保すると共に、拡散によって光吸収部における入射光の集中による空間電荷効果を回避して、半導体受光素子の応答速度の高速化を実現できる。【００１１】  請求項２の発明は請求項１において、入射光の出射点から前記凹レンズ部までの距離Ｌと、入射光の発散角θと、前記光吸収部の直径Ｄと、前記凹レンズ部と前記光吸収部の距離Ｈに基づいて、前記凹レンズ部に入射した入射光の全部が前記凹レンズ部から拡散して前記光吸収部に入射するように前記凹レンズ部の曲率半径Ｒ２を設定したことを特徴としている。【００１２】  上記構成によれば、入射光の光強度が強い中央部の光の全部を光吸収部に広がるように且つ確実に入射させる。従って、光吸収部における受光量を確保すると共に、空間電荷効果を回避して半導体受光素子の応答速度の高速化を実現できる。【００１３】  請求項３の発明は、請求項２において、空気に対する前記半導体基板の屈折率をｎとしたとき、前記凸レンズ部の前記曲率半径Ｒ１は、（ｎ−１）／（１／Ｌ＋ｎ／Ｈ）＜Ｒ１＜（ｎ−１）／（ｎ／Ｈ）を満たすことを特徴としている。【００１４】  上記構成によれば、凸レンズ部によって光吸収部に焦点を結ばないように集光できるので、光吸収部の受光量を確保すると共に空間電荷効果を回避して半導体受光素子の応答速度の高速化を実現できる。【００１５】  請求項４の発明は、請求項１〜３において、前記半導体基板は、ＩｎＰ基板であることを特徴としている。【００１６】  上記構成によれば、光通信で利用される波長の赤外光を効率よく受光することができるので、光通信用の半導体受光素子の応答速度を高速化可能である。
【発明の効果】
【００１７】  本発明の半導体受光素子によれば、応答速度の高速化が可能である。
【図面の簡単な説明】
【００１８】
【図１】本発明の実施例に係る半導体受光素子の断面図である。
【図２】図１の半導体受光素子に入射する入射光の例を示す模式図である。
【図３】図１の半導体受光素子に発散角５°の入射光が入射したときの光吸収部における到達位置のシミュレーション結果を示す図である。
【図４】従来の凸レンズ部を備えた半導体受光素子に発散角５°の入射光が入射したときの光吸収部における到達位置のシミュレーション結果を示す図である。
【図５】入射光の発散角と光吸収部における入射位置の光吸収部中心からの距離の平均値及び標準偏差の関係を示す図である。
【図６】凸レンズ部の曲率半径Ｒ１を説明する図である。
【図７】凹レンズ部の曲率半径Ｒ２を説明する図である。
【図８】半導体受光素子の半導体層の形成工程を示す断面図である。
【図９】半導体受光素子の受光部の形成工程を示す断面図である。
【図１０】半導体受光素子の凸レンズ部となる凸部の形成工程を示す断面図である。
【図１１】半導体受光素子の凸レンズ部の形成工程を示す断面図である。
【図１２】半導体受光素子の凹レンズ部の形成工程を示す断面図である。
【発明を実施するための形態】
【００１９】  以下、本発明を実施するための形態について実施例に基づいて説明する。
【実施例】
【００２０】  最初に、半導体受光素子１の全体構成について図１に基づいて説明する。  半導体受光素子１は、入射光に対して透明な半導体基板２と、半導体基板２の主面３の近傍に配設された受光部４と、受光部４にｐ電極５と、半導体基板２の主面３側にｎ電極６を有する。また、半導体基板２の主面３に対向する半導体基板２の裏面７には、凸レンズ部８と、この凸レンズ部８の中央部に凸レンズ部８より小径の凹レンズ部９と、少なくとも凸レンズ部８及び凹レンズ部９を覆う反射防止膜１０を備えている。そして、半導体基板２の裏面７側から凸レンズ部８、凹レンズ部９に入射した光を受光部４に導入して電荷に変換する裏面入射型の半導体受光素子１が構成されている。半導体基板２として、光通信用の波長１．３μｍや１．５μｍの赤外光を受光する受光素子に使用されるｎ−ＩｎＰ基板を例に説明するが、用途等に応じて適宜基板材料を選択可能である。【００２１】  半導体基板２の主面３は、例えばｎ型のＩｎＰ層からなるバッファ層１１に覆われている。受光部４は、バッファ層１１の半導体基板２と反対側にバッファ層１１側から順に例えばｎ型のＩｎＰ層からなる第１半導体層１２と、例えばｎ型のＩｎＧａＡｓ層からなる光吸収部１３と、例えばｐ型のＩｎＰ層からなる第２半導体層１４を積層したＰＩＮフォトダイオードで構成されている。バッファ層１１、第１半導体層１２、光吸収部１３、第２半導体層１４の厚さはこの順に、例えば５μｍ、２μｍ、１μｍ、２μｍである。２０ＧＨｚ程度の応答周波数帯域が求められる場合には光吸収部１３の直径Ｄが２０μｍ程度の円柱状又は円錐台状の受光部４が形成される。尚、応答速度の高速化のため、第１、第２半導体層１２，１４は、ドーパント濃度を１×１０18ｃｍ-3以上として低抵抗にすることが好ましい。【００２２】  ｐ電極５は、第２半導体層１４に導通するように配設され、ｎ電極６はバッファ層１１に導通するように配設されている。半導体基板２の主面３側はｐ電極５及びｎ電極６以外の領域が保護膜（例えば１００ｎｍ程度の厚さのシリコン窒化膜等）に覆われていてもよい。受光部４において入射光により生成した電荷による電流は、ｐ電極５及びｎ電極６を介して外部に出力される。【００２３】  半導体基板２の裏面７の凸レンズ部８は、光吸収部１３より大径の例えば直径（幅）が６０μｍ、曲率半径Ｒ１が１００μｍの部分球面状に形成され、光吸収部１３の中心を凸レンズ部８の光軸Ｚが通るように配設されている。この凸レンズ部８の中央部に、凸レンズ部８と共通の光軸Ｚを有し且つ曲率半径Ｒ１より大きい曲率半径Ｒ２の部分球面状の凹レンズ部９が配設されている。この凹レンズ部９は、例えば曲率半径Ｒ２が１５０μｍ、直径（幅）が５μｍで光吸収部１３より小径であり、光吸収部１３との距離Ｈが１５０μｍである。そして、少なくとも凸レンズ部８及び凹レンズ部９を覆うように、例えば１００ｎｍの厚さのシリコン窒化膜からなる反射防止膜１０が半導体基板２の裏面７に配設されている。尚、図１では凹レンズ部９が見易いようにその凹形状を誇張して示している。【００２４】  図２に示すように、半導体受光素子１の裏面７側から光軸Ｚに沿うように入射する入射光は、凸レンズ部８又は凹レンズ部９により屈折して光吸収部１３に到達する。例えば、光軸Ｚ上において凹レンズ部９から５０μｍ離れた位置から発散角２θ（全角）が５°の入射光が出射された場合、入射光の略全部が凹レンズ部９に入射する。そして入射光は、この凹レンズ部９から一層拡がるように進行して光吸収部１３に到達する。また、破線で示すように、同じ出射位置から出射される入射光の発散角２θが５°より大きい場合は、光軸Ｚに近い入射光の中央部分が凹レンズ部９に入射して拡散するように光吸収部１３に到達する。そしてこれより外側の入射光が凸レンズ部８に入射して、凸レンズ部８の集光作用により光吸収部１３に到達可能である。【００２５】  半導体受光素子１について、図２の出射位置から発散角２θが５°の入射光の光吸収部１３における到達位置のシミュレーションの結果を図３に示す。また、凹レンズ部９が無いこと以外は半導体受光素子１と同等の従来の半導体受光素子について同じ入射光の光吸収部１３における到達位置のシミュレーションの結果を図４に示す。図中の円が光吸収部１３を表し、点がランダムに抽出した入射光に含まれる５００本の光線の光吸収部１３における到達位置を表している。凹レンズ部９が無い図４では光吸収部１３の中央に集光されているが、図３では凹レンズ部９によって到達位置が光吸収部１３の中央に集中せず、図４よりも広い範囲に入射光が到達していることが分かる。【００２６】  このような半導体受光素子１に入射する入射光の発散角２θと、入射光の到達位置の光吸収部１３の中心からの距離ｕの平均値及び標準偏差との関係を図５に示す。図中の四角（□）は従来の半導体受光素子に相当する凹レンズ部９が無い場合の平均値、丸（○）は凹レンズ部９を備えた半導体受光素子１の平均値を表し、これら平均値の上下に伸びる矢印は夫々の標準偏差を表す。凹レンズ部９が無い場合は発散角２θが小さい程、距離ｕの平均値が小さくなり、ばらつきを表す標準偏差も小さくなる。一方、凹レンズ部９がある半導体受光素子１では、発散角２θが小さい程距離ｕの平均値が凹レンズ部９が無い場合よりも大きくなる傾向にあり、標準偏差も小さくならずばらつきが大きい。従って、凹レンズ部９によって入射光が拡散されて光吸収部１３に到達することが分かる。【００２７】  凸レンズ部８の曲率半径Ｒ１の設定について、図６に基づいて説明する。  点Ｏを中心とした半径Ｒ１の円弧８ａは曲率半径Ｒ１の凸レンズ部８の部分球面を表し、光軸Ｚ上において円弧８ａから距離Ｌ１の点Ａを出射点として発散角２θの光が光軸Ｚに沿うように出射される。光軸Ｚと円弧８ａの交差する点を点Ｂ、入射光の最も外側の光線が円弧８ａに交差する点を点Ｐ、入射光が焦点を結ぶ光軸Ｚ上の点を点Ｃとし、点Ｂから点Ｃまでの距離をＨ１とする。また、入射光は空気中で出射され、空気の屈折率をｎ１、凸レンズ部８の屈折率をｎ２とし、空気の屈折率ｎ１に対する凸レンズ部８の屈折率ｎ２を屈折率ｎ（＝ｎ２／ｎ１）とする。このとき近軸光線近似により曲率半径Ｒ１と距離Ｌ１，Ｈ１と屈折率ｎの関係が下記（１）式で表される。  （１／Ｌ１）＋（ｎ／Ｈ１）＝（ｎ−１）／Ｒ１  …（１）【００２８】  点Ｃに光吸収部１３を配設する場合に、（１）式に屈折率ｎと距離Ｌ１，Ｈ１を与えて求めた曲率半径Ｒ１より大きい曲率半径を設定すれば、凸レンズ部８の集光作用が弱まるので、入射光が点Ｃの光吸収部１３に焦点を結ばないように集光可能である。従って（１）を変形した下記（２）式を満たすように曲率半径Ｒ１を設定する。  Ｒ１＞（ｎ−１）／（１／Ｌ１＋ｎ／Ｈ１）  …（２）【００２９】  同様に点Ｃに光吸収部１３を配設する場合に、入射光を光軸Ｚに平行な光線の束と見なして（１）式において距離Ｌ１→∞とし、屈折率ｎと距離Ｈ１を与えて求めた曲率半径Ｒ１より小さい曲率半径を設定すれば、凸レンズ部８の集光作用が強まるので、拡がるように進行する入射光を光吸収部１３に集光可能である。従って（１）式を変形した下記（３）を満たすように曲率半径Ｒ１を設定する。  Ｒ１＜（ｎ−１）／（ｎ／Ｈ１）  …（３）【００３０】  次に、凹レンズ部９の曲率半径Ｒ２の設定について、図７に基づいて説明する。  半径Ｒ２の円弧９ａは曲率半径Ｒ２の凹レンズ部９の部分球面を表し、円弧９ａから凹レンズ部９の光軸Ｚ上の距離Ｌの点Ｐ０において発散角２θの光が光軸Ｚに沿うように出射される。【００３１】  光軸Ｚをｘ軸、円弧９ａの中心を原点としてｘ軸に直交するｙ軸を設定し、入射光の最も外側の光線ＩＬ１が入射角αで凹レンズ部９に入射する点を点Ｐ１とし、点Ｐ１における屈折角をβとする。また、空気の屈折率ｎ１に対する凹レンズ部９の屈折率ｎ２を屈折率ｎとすると、スネルの法則により屈折率ｎ＝sinα／sinβである。凹レンズ部９から入射光の進行方向に距離Ｈのｘ軸上の点（x2，0）を中心にしたｘ軸に直交する直径Ｄの光吸収部１３を表す長さＤの直線を設定し、点Ｐ１で屈折角βで屈折して進行する光線ＩＬ２が光吸収部１３を表す直線と交差する点を点Ｐ２とする。この光線ＩＬ２とｘ軸の交差角をγとする。【００３２】  点Ｐ０，Ｐ１，Ｐ２の座標をＰ０（x0，0）、Ｐ１（x1，y1）、Ｐ２（x2，y2）とすると、光線ＩＬ１を表す直線y=(x-x0)tanθと光線ＩＬ２を表す直線y-y1=(x-x1)tanγに基づいて、これらの関係が下記の（４）〜（１１）式のように表される。【数１】
2019150534.tif 000003
【００３３】  これら（４）〜（１１）式に入射光の出射点から凹レンズ部９までの距離Ｌと、入射光の発散角θ（半角）と、光吸収部１３の直径Ｄと、凹レンズ部９と光吸収部１３の距離Ｈを与えれば、光線ＩＬ２が光吸収部１３に入射する点Ｐ２で｜y2｜＝Ｄ／２となるように凹レンズ部９の曲率半径Ｒ２を設定することができる。例えば、Ｌ＝５０μｍ、２θ＝５°（θ＝２．５°）、Ｄ＝２０μｍ、Ｈ＝１５０μｍのときにＲ２＝１５０μｍに設定する。このように設定した曲率半径Ｒ２の凹レンズ部９が、凹レンズ部９に入射した光の全部を光吸収部１３に広がるように到達させるので、光吸収部１３における入射光の集中を緩和する。従って、凹レンズ部９により光吸収部１３で生成される電荷の集中による空間電荷効果を抑制することができるので、応答速度の高速化が可能である。【００３４】  ここで、入射光の出射点と凸レンズ部８の距離Ｌ１と、入射光の出射点と凹レンズ部９の距離Ｌとが略等しい。また、凸レンズ部８と光吸収部１３の距離Ｈ１と、凹レンズ部９と光吸収部１３の距離Ｈとが略等しい。それ故、（２），（３）式のＬ１，Ｈ１を夫々Ｌ，Ｈとして凸レンズ部８の曲率半径Ｒ１を設定してもよい。即ち、下記（１２）式を満たすように曲率半径Ｒ１を設定することにより、凸レンズ部８が光吸収部１３に焦点を結ばないように光吸収部１３に集光可能である。例えばＬ＝５０μｍ、Ｈ＝１５０μｍ、ｎ＝３．２のときにＲ１＝１００μｍに設定する。  （ｎ−１）／（１／Ｌ＋ｎ／Ｈ）＜Ｒ１＜（ｎ−１）／（ｎ／Ｈ）  …（１２）【００３５】  次に、半導体受光素子１の形成方法について説明する。  図８に示すように、清浄な半導体基板２の主面３に、主面３側から順にバッファ層１１第１半導体層１２、光吸収部１３、第２半導体層１４を気相成長法等により成膜する。そして、第２半導体層１４の表面に、受光部４を形成する所定の領域を覆う図示外のエッチングマスク１５を形成する。エッチングマスク１５は、第２半導体層１４の表面に成膜した例えばシリコン窒化膜を選択エッチング法等により所定の領域にのみ残るように除去して形成する。【００３６】  次に図９に示すように、エッチングマスク１５で覆われた所定の部分を残してバッファ層１１が露出するように、選択エッチング法により第２半導体層１４、光吸収部１３、第１半導体層１２を除去して例えば直径Ｄが２０μｍの光吸収部１３を有する受光部４を形成後、エッチングマスク１５を除去する。化学エッチングの場合、通常用いられるエッチング液は臭化水素（ＨＢｒ）とメタノールの混合液であるが、これに限定されるものではなく公知のエッチング液を使用できる。ドライエッチングにより受光部４を形成してもよい。【００３７】  エッチングマスク１５を除去後、受光部４を有する半導体基板２の主面３側を保護するために、例えばフォトレジスト等からなる保護膜（図示略）で覆う。そして半導体基板２の裏面７に、凸レンズ部８を形成する例えば直径８０μｍの所定の領域を覆うエッチングマスク１６を形成する。エッチングマスク１６は、半導体基板２の裏面７に成膜した例えばシリコン窒化膜を選択エッチング法等により所定の領域にのみ残るように除去して形成する。【００３８】  次に図１０に示すように、半導体基板２の裏面７側に、選択エッチング法により凸レンズ部８を形成する略円柱状の領域１７を半導体基板２から突出するように形成した後、エッチングマスク１６を除去する。このとき上記のエッチング液が使用可能であり、ドライエッチングで領域１７を形成することもできる。【００３９】  次に図１１に示すように、半導体基板２の裏面７を上記のエッチング液により全面エッチングして部分球面状の凸レンズ部８を形成する。このとき、凸レンズ部８となる略円柱状の領域１７の角部は、その角部を形成する２つの面（円柱の円形平面と円周面）からエッチングが進行するので、平面部分と比べてエッチングが促進されて丸くなる。この領域１７の角部が丸くなることを利用して曲率半径Ｒ１の部分球面状の凸レンズ部８を形成している。【００４０】  次に図１２に示すように、凹レンズ部９を形成する凸レンズ部８の頂部を除いて半導体基板２の裏面７を覆うエッチングマスク１９を形成する。そして半導体基板２の裏面７側に、選択エッチング法により凹レンズ部９を形成する。エッチングマスク１９は、半導体基板２の裏面７に成膜した例えばシリコン窒化膜を、選択エッチング法等により凸レンズ部８の頂部の例えば直径１５μｍの領域のみ除去して形成する。そしてこの凸レンズ部８が露出した領域を上記のエッチング液によりエッチングする。【００４１】  このとき、凸レンズ部８が露出した領域のエッチングはエッチングマスク１９で覆われた凸レンズ部８の横方向にもエッチングが進行する。このとき凸レンズ部８が露出した領域の中央部分は、周辺部分と比べて新鮮なエッチング液が供給され易いためエッチングが促進されて丸くなる。このことを利用して、設定された曲率半径Ｒ２の部分球面状の凹レンズ部９を形成している。【００４２】  図示を省略するが、少なくとも凸レンズ部８及び凹レンズ部９を覆うようにシリコン窒化膜等からなる反射防止膜１０をプラズマＣＶＤ法等により形成し、半導体基板２の主面３側の図示外の保護膜を除去して例えば密着層としてクロム膜、ニッケル膜等を有する積層構造の金属膜によりｐ電極５とｎ電極６を選択的に形成した後、所定の大きさにダイシングして図１の半導体受光素子１を得る。【００４３】  実施例に係る半導体受光素子１の作用、効果について説明する。  図２に示すように、半導体受光素子１は凸レンズ部８に入射した光を光吸収部１３に集光可能であり、凹レンズ部９に入射した光を光吸収部１３に向けて拡散させて光吸収部１３に入射させる。従って、光吸収部１３における受光量を確保できると共に、光吸収部１３において生成される電荷の過剰な集中を抑えて空間電荷効果を回避でき、半導体受光素子１の応答速度の高速化を実現できる。【００４４】  また、入射光の出射点から凹レンズ部９までの距離Ｌと、入射光の発散角θ（半角）と、光吸収部１３の直径Ｄと、凹レンズ部９と光吸収部１３の距離Ｈに基づいて、（４）〜（１１）式の関係を利用して凹レンズ部９に入射した光の全部を光吸収部１３に広がるように且つ確実に入射させるように凹レンズ部９の曲率半径Ｒ２を設定する。従って、受光量を確保すると共に空間電荷効果を回避でき、半導体受光素子１の応答速度の高速化を実現できる。【００４５】  その上、凸レンズ部８と光吸収部１３の距離Ｈ１と略同等の凹レンズ部９と光吸収部１３の距離Ｈ及び空気に対する半導体基板２の屈折率ｎに基づいて、（１２）式を満たすように凸レンズ部８の曲率半径Ｒ１を設定する。従って、凹レンズ部９に入射しなかった入射光を凸レンズ部８によって光吸収部１３に集光して受光量を確保することができる。さらに、半導体基板２はＩｎＰ基板なので、光通信用の半導体受光素子１の応答速度を高速化できる。【００４６】  上記の発散角や各部の長さ等は１例であってこれに限定されるものではなく、要求される性能等に応じて適宜設定される。その他、当業者であれば、本発明の趣旨を逸脱することなく、上記実施例に種々の変更を付加した形態で実施可能であり、本発明はそのような変更形態も包含するものである。
【符号の説明】
【００４７】１      ：半導体受光素子２      ：半導体基板３      ：主面４      ：受光部５      ：ｐ電極６      ：ｎ電極７      ：裏面８      ：凸レンズ部９      ：凹レンズ部１０    ：反射防止膜１３    ：光吸収部
【図１】
2019150534.tif 000004
【図２】
2019150534.tif 000005
【図３】
2019150534.tif 000006
【図４】
2019150534.tif 000007
【図５】
2019150534.tif 000008
【図６】
2019150534.tif 000009
【図７】
2019150534.tif 000010
【図８】
2019150534.tif 000011
【図９】
2019150534.tif 000012
【図１０】
2019150534.tif 000013
【図１１】
2019150534.tif 000014
【図１２】
2019150534.tif 000015
【手続補正書】
【提出日】平成31年3月22日(2019.3.22)
【手続補正１】
【補正対象書類名】特許請求の範囲
【補正対象項目名】全文
【補正方法】変更
【補正の内容】
【特許請求の範囲】
【請求項１】
入射光に対して透明な半導体基板の主面近傍に光吸収部を備え、入射光を集光して前記光吸収部における受光量を確保するために前記主面に対向する前記半導体基板の裏面に前記光吸収部より大径であって曲率半径Ｒ１の凸レンズ部を備え、前記凸レンズ部の光軸上に前記光吸収部の中心が位置する裏面入射型の半導体受光素子において、
前記凸レンズ部の中央部に、前記凸レンズ部と光軸が共通であって前記光吸収部より小径且つ前記曲率半径Ｒ１より大きい曲率半径Ｒ２の凹レンズ部を有し、
前記凹レンズ部は、前記凸レンズ部の集光作用による入射光の集中を緩和するために入射した光を前記光吸収部に向けて拡散させることを特徴とする半導体受光素子。
【請求項２】
入射光の出射点から前記凹レンズ部までの距離Ｌと、入射光の発散角θと、前記光吸収部の直径Ｄと、前記凹レンズ部と前記光吸収部の距離Ｈに基づいて、前記凹レンズ部に入射した入射光の全部が前記凹レンズ部から拡散して前記光吸収部に入射するように前記凹レンズ部の曲率半径Ｒ２を設定したことを特徴とする請求項１に記載の半導体受光素子。
【請求項３】
空気に対する前記半導体基板の屈折率をｎとしたとき、前記凸レンズ部の前記曲率半径Ｒ１は、
（ｎ−１）／（１／Ｌ＋ｎ／Ｈ）＜Ｒ１＜（ｎ−１）／（ｎ／Ｈ）
を満たすことを特徴とする請求項２に記載の半導体受光素子。
【請求項４】
前記半導体基板は、ＩｎＰ基板であることを特徴とする請求項１〜３の何れか１項に記載の半導体受光素子。
【手続補正２】
【補正対象書類名】明細書
【補正対象項目名】０００２
【補正方法】変更
【補正の内容】
【０００２】
発明が解決しようとする課題
［０００６］
しかし、凸レンズ部が光吸収部で焦点を結ぶように集光すると、焦点近傍に電荷が集中的に生成され、電荷の過剰な集中によりその電荷の移動が制限される空間電荷効果によって応答速度の高速化が阻害される。また、発散角が小さい入射光の場合、凸レンズ部が光吸収部で焦点を結ばなくても、その凸レンズ部の集光作用により光吸収部の一部に入射光が集中して生成された電荷が過剰に集中し、空間電荷効果によって応答速度の高速化が阻害される虞がある。
［０００７］
発散角が大きい入射光であっても、通常その中心の光軸に垂直な面内の入射光径方向の光の強度分布がガウス分布と見なせるガウシアンビームであり、入射光の光軸に近い程強度が強い。そのため、凸レンズ部の集光作用によって入射光の強度が強い中央部分が入射する光吸収部の一部で電荷の生成が過剰に集中し、空間電荷効果によって応答速度の高速化が阻害される虞もある。
［０００８］
本発明の目的は、応答速度の高速化が可能な半導体受光素子を提供することである。
課題を解決するための手段
［０００９］
請求項１の発明は、入射光に対して透明な半導体基板の主面近傍に光吸収部を備え、入射光を集光して前記光吸収部における受光量を確保するために前記主面に対向する前記半導体基板の裏面に前記光吸収部より大径であって曲率半径Ｒ１の凸レンズ部を備え、前記凸レンズ部の光軸上に前記光吸収部の中心が位置する裏面入射型の半導体受光素子において、前記凸レンズ部の中央部に、前記凸レンズ部と光軸が共通であって前記光吸収部より小径且つ前記曲率半径Ｒ１より大きい曲率半径Ｒ２の凹レンズ部を有し、前記凹レンズ部は、前記凸レンズ部の集光作用による入射光の集中を緩和するために入射した光を前記光吸収部に向けて拡散させることを特徴としている。
［００１０］
上記構成によれば、半導体受光素子は凸レンズ部の光軸に沿うように裏面から入射した入射光のうち、凸レンズ部に入射した光を光吸収部に向けて集光可能であると共に、凸レンズ部中央部の凹レンズ部に入射した光を光吸収
【手続補正書】
【提出日】令和1年12月17日(2019.12.17)
【手続補正１】
【補正対象書類名】特許請求の範囲
【補正対象項目名】全文
【補正方法】変更
【補正の内容】
【特許請求の範囲】
【請求項１】
入射光に対して透明な半導体基板の主面近傍に光吸収部を備え、入射光を集光して前記光吸収部における受光量を確保するために前記主面に対向する前記半導体基板の裏面に前記光吸収部より大径であって曲率半径Ｒ１の凸レンズ部を備え、前記凸レンズ部の光軸上に前記光吸収部の中心が位置する裏面入射型の半導体受光素子において、
前記凸レンズ部の中央部に、前記凸レンズ部と光軸が共通であって前記光吸収部より小径且つ前記曲率半径Ｒ１より大きい曲率半径Ｒ２の凹レンズ部を有し、
前記凹レンズ部は、前記凸レンズ部の集光作用による前記光吸収部における入射光の集中を緩和するために、入射した光を前記光吸収部に向けて拡散させて、前記集光作用による空間電荷効果を抑制することを特徴とする半導体受光素子。
【請求項２】
入射光の出射点から前記凹レンズ部までの距離Ｌと、入射光の発散角θと、前記光吸収部の直径Ｄと、前記凹レンズ部と前記光吸収部の距離Ｈに基づいて、前記凹レンズ部に入射した入射光の全部が前記凹レンズ部から拡散して前記光吸収部に入射するように前記凹レンズ部の曲率半径Ｒ２を設定したことを特徴とする請求項１に記載の半導体受光素子。
【請求項３】
空気に対する前記半導体基板の屈折率をｎとしたとき、前記凸レンズ部の前記曲率半径Ｒ１は、
（ｎ−１）／（１／Ｌ＋ｎ／Ｈ）＜Ｒ１＜（ｎ−１）／（ｎ／Ｈ）
を満たすことを特徴とする請求項２に記載の半導体受光素子。
【請求項４】
前記半導体基板は、ＩｎＰ基板であることを特徴とする請求項１〜３の何れか１項に記載の半導体受光素子。
【手続補正２】
【補正対象書類名】明細書
【補正対象項目名】０００９
【補正方法】変更
【補正の内容】
【０００９】
請求項１の発明は、入射光に対して透明な半導体基板の主面近傍に光吸収部を備え、入射光を集光して前記光吸収部における受光量を確保するために前記主面に対向する前記半導体基板の裏面に前記光吸収部より大径であって曲率半径Ｒ１の凸レンズ部を備え、前記凸レンズ部の光軸上に前記光吸収部の中心が位置する裏面入射型の半導体受光素子において、前記凸レンズ部の中央部に、前記凸レンズ部と光軸が共通であって前記光吸収部より小径且つ前記曲率半径Ｒ１より大きい曲率半径Ｒ２の凹レンズ部を有し、前記凹レンズ部は、前記凸レンズ部の集光作用による前記光吸収部における入射光の集中を緩和するために、入射した光を前記光吸収部に向けて拡散させて、前記集光作用による空間電荷効果を抑制することを特徴としている。
【国際調査報告】
2019150534.tif 000016
2019150534.tif 000017
2019150534.tif 000018
2019150534.tif 000019